(57)【要約】【課題】供給する流体によってドリルに付く切り屑を除去することができる流体供給装置を提供する。【解決手段】被加工物に穴開け加工を行なうドリル３１の先端部３１ａへ向けて切削油を噴出するために、切削油を流す流路７を有しているノズル２を備えている。ノズル２には、ドリル３１を挿通させる工具孔４が中央部に設けられ、前記流路７が円周状に設けられている。流路７は、工具孔４の周りに噴出口１０を有し、噴出口１０に向かって径方向内側へと傾斜している。流路７は、噴出口１０へ向かう方向が長手方向となる溝６を周方向に複数有している。溝６の断面は円弧状である。【選択図】      図３
2009220200.tif 000002
【特許請求の範囲】
【請求項１】
被加工物に穴開け加工を行なう切削工具の先端部へ向けて流体を噴出するために当該流体を流す流路を有しているノズルを備え、
前記ノズルは、前記切削工具を挿通させるべく当該ノズルの中央部に設けられた工具孔と、当該工具孔の周りに噴出口を有しかつ当該噴出口に向かって径方向外側から内側へと傾斜するように設けられた円周状の前記流路と、を有し、
前記流路は、前記噴出口へ向かう方向が長手方向となる溝を周方向に複数有しており、当該溝の断面が弧状であることを特徴とする流体供給装置。
【請求項２】
前記溝は前記噴出口に向かって細くなっている請求項１に記載の流体供給装置。
【請求項３】
前記ノズルは、中央部に前記工具孔が形成され先細りのテーパ形状の外周面を有している円錐突出部と、この円錐突出部の径方向外側に設けられ前記外周面との間に隙間を形成するテーパ形状の内周面を有している外側環状部材とを有し、前記隙間が前記流路として形成されており、前記溝は前記外周面及び／又は内周面に形成されている請求項１又は２に記載の流体供給装置。
【請求項４】
前記切削工具を装着している切削加工機の主軸頭に対して、当該切削工具が前記工具孔を挿通するようにして前記ノズルを着脱自在にする取付部を備えている請求項１〜３のいずれか一項に記載の流体供給装置。
【発明の詳細な説明】
【技術分野】
【０００１】
本発明は、工作機械に設けられる流体供給装置に関する。
【背景技術】
【０００２】
被加工物に穴開け加工を行なう切削工具（例えばドリルやリーマ）を有する切削加工機には、切削工具による被加工物の加工性を向上させるために、切削油（クーラント）等の流体を切削工具の先端部（加工点）へ供給する流体供給装置が設けられている（例えば特許文献１参照）。
このような流体供給装置は切削油を噴出するノズルを備えており、このノズルは、切削工具を取り付けている主軸頭の外周面に、ノズルホルダを介して固定されている。そして、このノズルから切削工具の先端部へ向けて切削油を噴出している。
【０００３】
【特許文献１】特開平６−２０６１３９号公報（図１参照）
【発明の開示】
【発明が解決しようとする課題】
【０００４】
切削加工機によって穴開け加工を行なっていると、切削工具に切り屑（切り粉）が付き、切り屑等が付着したまま次の被加工物を加工すると穴寸法の精度が低下することがある。例えば製品の組み立てに際し、部品の位置決めのために切削加工機によって加工したリーマ穴にピンを圧入する場合、加工したリーマ穴の寸法が規定値よりも大きくなっていると、ピン圧入強度が不足し位置決め精度が低下する。
そこで、前記流体供給装置のノズルから切削油を噴出することで、切り屑等を切削工具から除去することが考えられる。しかし、従来の流体供給装置では、切削油を一方向から切削工具に当て冷却することを目的としているため、切り屑等を切削工具から除去することができない。
そのため、切削加工機によって穴開け加工を終える毎に、作業者がハケ等の処理工具を使って手作業で切り屑等を除去する必要があり、作業効率が悪く生産性が低下する。
また、前記のとおり、従来の流体供給装置では、ノズルから切削工具の先端部（加工点）へ向けて切削油（クーラント）を噴出しているが、切削工具（ドリル）の回転によって切削油は飛散するため、切削工具の刃先に切削油が満たされた状態となりにくく、切削工具の寿命を伸ばすのが難しく、また、加工点に切り屑等が残っていることにより、目標とする加工精度の達成が困難であった。
【０００５】
そこで本発明は、供給する流体によって切削工具に付く切り屑を除去することができる流体供給装置を提供することを目的とする。
【課題を解決するための手段】
【０００６】
前記目的を達成するための本発明の流体供給装置は、被加工物に穴開け加工を行なう切削工具の先端部へ向けて流体を噴出するために当該流体を流す流路を有しているノズルを備え、前記ノズルは、前記切削工具を挿通させるべく当該ノズルの中央部に設けられた工具孔と、当該工具孔の周りに噴出口を有しかつ当該噴出口に向かって径方向外側から内側へと傾斜するように設けられた円周状の前記流路とを有し、前記流路は、前記噴出口へ向かう方向が長手方向となる溝を周方向に複数有しており、当該溝の断面が弧状である。
【０００７】
この流体供給装置によれば、流体を流す流路が円周状に設けられ、この流路の噴出口が工具孔の周りにあり、また、流路は噴出口に向かって径方向内側へと傾斜しているため、流体を噴出することで、工具孔を挿通している切削工具に流体を全周から当てることができる。
また、流路は、複数の溝を周方向に有しており、噴出口へ向かう方向が溝の長手方向であることから、流体を噴出口へと向かわせるように整流することができ、流体を切削工具の先端部の切削加工点へ向けて噴出させることができる。さらに、溝の断面が弧状に形成されているため、この流路を通過する流体に異物が含まれていても、その異物が溝に滞留しにくい。つまり、溝に角部（隅部）があるとその角部に流体中に残留する微細な切削粉などの異物が堆積して溝を塞ぐおそれがあるが、本発明によればこれを防止することができる。
以上より、切削工具に対して全周から流体を当てることができ、切削工具に付いている異物を除去することが可能となる。
【０００８】
また、前記溝は前記噴出口に向かって細くなっているのが好ましい。これによれば、噴出口における流速を速くすることができる。
また、前記ノズルは、中央部に前記工具孔が形成され先細りのテーパ形状の外周面を有している円錐突出部と、この円錐突出部の径方向外側に設けられ前記外周面との間に隙間を形成するテーパ形状の内周面を有している外側環状部材とを有し、前記隙間が前記流路として形成されており、前記溝は前記外周面及び／又は内周面に形成されているのが好ましい。これによれば、円錐突出部の径方向外側に外側環状部材を設けることで、前記流路を構成することができる。
【０００９】
また、前記流体供給装置は、前記切削工具を装着している切削加工機の主軸頭に対して、当該切削工具が前記工具孔を挿通するようにして前記ノズルを着脱自在にする取付部を備えているのが好ましい。
これによれば、流体供給装置が備えている取付部を、切削加工機の主軸頭に取り付けることで、切削工具が工具孔を挿通した状態でノズルを切削加工機に取り付けることができる。また、切削工具を交換する際にはノズルを脱着することで切削工具の交換が容易になる。
【発明の効果】
【００１０】
本発明の流体供給装置によれば、流体を流す流路が円周状に設けられ、この流路の噴出口が工具孔の周りにあり、また、流路は噴出口に向かって径方向内側へと傾斜しているため、流体を噴出することで、工具孔を挿通している切削工具に流体を全周から当てることができる。これにより、切削工具に付く切り屑を除去することが可能となり、従来のように手作業で切り屑を除去する手間が省かれ、生産性を向上させることができる。さらに、溝の断面が弧状に形成されているため、この流路を通過する流体に異物が含まれていてもその異物が溝に堆積しにくいことから、ノズルの保守管理が容易となる。また、工具の寿命を延ばすことができ、加工精度を向上させることができる。
【発明を実施するための最良の形態】
【００１１】
以下、本発明の実施の形態を図面に基づいて説明する。
図１は本発明の流体供給装置を切削加工機（工作機械）に取り付けた状態を説明する説明図である。
切削加工機Ｍは、機械本体部３０と、この機械本体部３０の一部に設けられた主軸頭３２と、この主軸頭３２に着脱可能に取り付けられている切削工具とを備えている（詳細は省略）。切削工具は被加工物Ｗに穴開け加工を行なうものであり、以下において切削工具をドリル３１として説明する。機械本体部３０内に設けられた駆動部が回転駆動することによりドリル３１が回転し、被加工物Ｗに穴開け加工が行なわれる。主軸頭３２は、ドリル３１を固定して回転する回転部３２ｂと、回転部３２ｂの外径側に設けられている回転しない本体部３２ａとを有している。図１においてドリル３１及び被加工物Ｗを二点鎖線で示している。
【００１２】
流体供給装置１（以下、供給装置１とも言う）は、ドリル３１の先端部３１ａ（加工点）へ向けて切削油（クーラント）を噴出するためのものである。この供給装置１は、切削油を流す流路７が形成されたヘッド部３を有するノズル２と、切削油を溜めるタンク（図示せず）からノズル２へ切削油を供給する供給ホース８とを備えている。そして、ノズル２が前記主軸頭３２の本体部３２ａに取り付けられ、供給ホース８からノズル２へと供給された切削油は、ヘッド部３に形成された流路７を通過して、ドリル３１の先端部３１ａ側へ向かって流路７の噴出口１０から噴出される（矢印ｆ）。
【００１３】
図２はノズル２の分解断面図であり、図３はノズル２のヘッド部３の拡大断面図である。ノズル２は第一部材２１と第二部材２２とを有しており、第一部材２１に第二部材２２が取り付けられることによって、ノズル２はヘッド部３を有する構成となる。さらに、後に詳しく説明するが、前記取り付けによって、ヘッド部３に前記流路７が形成される。そして、前記供給ホース８は、ノズル２のヘッド部３に接続される。
【００１４】
図２において、前記第一部材２１は、円筒状の円筒部３３と、この円筒部３３の先端側にある円環状の基部２３と、この基部２３の中央部からドリル３１の先端部３１ａ側（図３参照）へ突出している円錐突出部５とを有している。円錐突出部５は、先細りのテーパ形状の外周面５ａを有している円錐台形状であり、その径方向中央部にドリル３１を挿通させる工具孔４が形成されている。工具孔４は円錐突出部５の中心線と同心状に形成されている。
前記第二部材２２は、円錐突出部５の径方向外側に設けられる外側環状部材である。第二部材２２は、当該第二部材２２が第一部材２１に取り付けられることで、円錐突出部５の前記外周面５ａとの間に隙間を形成するテーパ形状の内周面２２ａを有している。そして、前記外周面５ａと前記内周面２２ａとの間に形成される前記隙間が前記流路７となる。
【００１５】
図２において、第一部材２１の前記基部２３の外周部に円環状の鍔部２３ａが形成されており、この鍔部２３ａの内周面にはネジ２３ｂが形成されている。一方、第二部材２２の外周面にはネジ２２ｂが形成されており、これらネジ２２ｂ，２３ｂが螺合することによって、第二部材２２を第一部材２１に取り付けることができる。このため、第二部材２２の取り換えが容易となり、後に説明するが流路７（溝６）の形状の変更が容易となる。
【００１６】
このように、第一部材２１に第二部材２２を取り付けることで、内部に流路７を有するヘッド部３が構成される（図３参照）。ヘッド部３は、基部２３と、円錐突出部５と、第二部材（外側環状部材）２２とによって構成されており、また、ヘッド部３の中央部（径方向内側）に、前記工具孔４が形成された構造となる。
工具孔４はヘッド部３を直線的に貫通している断面円形の孔であり、その孔径はドリル３１の直径よりも大きい。そして、図３に示しているように、この工具孔４の径方向外側に、流路７が当該工具孔４を中心として円周状に設けられている。
【００１７】
図１において、供給装置１は、ノズル２を、ドリル３１を装着している切削加工機Ｍの主軸頭３２（装着部）に対して着脱自在に取り付ける取付部材９ａを備えている。図１と図２とにおいて、ノズル２は、前記円環状の基部２３から中心線方向に伸びている円筒部３３を有しており、この円筒部３３の一部が取付部材９ａへの取付部９となっている。取付部９は、径方向外方へ突出している鍔部３４と、円筒部３３の端部を構成している筒部３５とを有している。
そして、ドリル３１と主軸頭３２（本体部３２ａ）とは同心状に配置されており、さらに、工具孔４と円筒部３３（筒部３５）とは同心状となっていることから、主軸頭３２の本体部３２ａに円筒部３３（筒部３５）を同心状に取り付けることによって、ドリル３１が工具孔４を挿通した状態となってヘッド部３（ノズル２）が切削加工機Ｍに取り付けられる。なお、円筒部３３と取付部材９ａとは、例えばボルト（セットビス）３７によって主軸頭３２に対して抜け止め固定される。
【００１８】
前記流路７について説明する。図３において、流路７は円周状に設けられており、工具孔４を中心として環状に開口している噴出口１０を有している。噴出口１０はドリル３１の先端部３１ａ側へと向かって開口するように、ヘッド部３の先端面３ａに形成されている。また、流路７は、噴出口１０に向かって径方向外側から内側へと傾斜している。つまり、流路７は、先端側に向かって縮径形状となっており、ドリル３１の中心線Ｃ（ノズル２の中心線）に対して傾斜している。さらに、流路７の外周面は、流路７の内周面よりも、ドリル３１の中心線Ｃに対する傾斜角度が大きくなっており、流路７の径方向の寸法は先端側に向かって小さくなっている。また、工具孔４の先端側開口部４ａと噴出口１０とは近接した配置となっている。
【００１９】
図４はノズル２を先端部側から見た断面図（図３のＡ矢視の断面図）である。図３と図４とにおいて、流路７の外周面には、噴出口１０へ向かう方向が長手方向となる溝６が形成されており、溝６は周方向に複数（図４では１８条）形成されている。すなわち、これら溝６は、第二部材（外側環状部材）２２の内周面２２ａに形成されている。なお、この内周面２２ａに対向している円錐突出部５の外周面５ａは滑らかなテーパ面となっている。
【００２０】
図５は前記複数の溝６の説明図である。溝６は周方向に並んで複数条形成されており、全周にわたって形成されている。溝６の長手方向は、ドリル３１の中心線Ｃに対して先端側へ傾斜した直線方向となっている（図３参照）。そして、溝６の断面は滑らかな曲線からなる弧状（アール形状）である。また、溝６の断面は溝全長にわたって弧状に形成されている。
さらに、図５の溝６（溝幅）は噴出口１０に向かって細く（狭く）なっている。つまり、溝６の断面に表れる円弧の半径は噴出口１０に向かって連続的に小さくなるように形成されている。このため、流路７の断面積は噴出口１０に向かって小さくなり、流路７を通過する切削油の流速を噴出口１０で速めることができる。
そして、溝６の下流端が噴出口１０であり、噴出口１０の外周側形状も溝６と同様の弧状となる。また、隣り合う溝６は噴出口１０において隣接して設けられており、また、図５の場合、隣り合う溝６は全長にわたって隣接している。
弧状の溝６の具体例としては、例えばφ４ミリのドリル３１の場合、溝６を１８条設け、各溝６は、下流端（噴出口１０）における半径を０．４ミリとした円弧状とすることができる。
【００２１】
図４に示しているように、溝６の内径側の縁６ａと、流路７の内周面（円錐突出部５の外周面５ａ）との間には、微小隙間が設けられている。これにより、流路７は周方向に連続したものとなり、その流路７の外周面に凹凸形状を有した構成となっている。なお、図示しないが、溝６の内径側の縁６ａと、流路７の内周面とが接触していてもよい。この場合、周方向に複数区画された円周状の流路７が形成され、その流路７の外周面に凹溝６が形成された構成となる。
【００２２】
図３において、ヘッド部３は、流路７の上流端が繋がっている環状の空間（環状空間）１１を有している。この環状空間１１は、図２において、第一部材２１の基部２３と、円錐突出部５と、円環状の鍔部２３ａと、第二部材２２とによって囲まれた部分として形成される。そして、環状空間１１の内周部に流路７が繋がっている。また、鍔部２３ａには、供給ホース８の接続部から環状空間１１へと貫通した貫通孔が形成されており、この貫通孔が中間流路１２となる。そして、供給ホース８からヘッド部３に送られた切削油は、中間流路１２を介して環状空間１１へ供給される。
【００２３】
以上のように構成されたノズル２を有する流体供給装置１によってドリル３１の先端部３１ａへ供給する切削油の流れを説明する。
図３において、供給ホース８から供給された切削油は、環状空間１１に供給され、環状空間１１に供給された切削油が、全ての溝６へと分かれて噴出口１０へと流れる。なお、環状空間１１の円環断面積（中心線Ｃに垂直な断面の断面積）は、流路７の上流端における全断面積よりも大きくなっており、また、環状空間１１の中心線Ｃ方向の高さ（厚さ）は、流路７の上流端における厚さ（径方向の高さ）よりも大きくなっている。つまり、流路７の上流端に比べて環状空間１１は広くなっている。このため、環状空間１１に供給された切削油は、当該環状空間１１に充填された状態となってから（つまり環状空間１１で内圧が維持されてから）、流路７を流れることができる。このように、切削油は環状空間１１に溜められた状態となってから流路７を流れることから、流路７の全周にわたって切削油を流すことができ、環状の噴出口１０の全周から切削油を噴出させることができる。
また、前記中間流路１２は、切削油を送る方向を環状空間１１の接線方向に平行な方向とし、環状空間１１の外周部に送ることができるように形成されている。これにより、環状空間１１の全周にわたって切削油を供給することができ、流路７を流れる切削油の流量を周方向で均一にするのに貢献している。
【００２４】
そして、前記流路７の形状によれば、工具孔４を挿通したドリル３１に対して、当該ドリル３１を周方向において包むようにして、切削油を噴出させることができる。さらに、流路７は噴出口１０に向かって径方向内側へと傾斜しているため、ドリル３１に切削油を全周にわたって確実に当てることができる。また、ドリル３１の中心線Ｃに対する流路７（溝６）の傾斜角度は３０°以下（例えば１０°以上であって２０°以下、又は、５°以上であって１０°以下）であり、このように傾斜角度を小さくすることで、噴出した切削油はドリル３１の基部側から先端部３１ａ側へと沿うようにして流れることができる。なお、この傾斜角度は加工点（ドリル３１の先端部３１）の位置にあわせて変更される。
また、流路７の外周面に複数の溝６が周方向に形成されており、噴出口１０へ向かう方向が溝長手方向であることから、溝６によって切削油を噴出口１０へと向かわせるように整流し、切削油をドリル３１の先端部３１ａへ向けて噴出することができる。また、溝６は、噴出口１０に向かって細くなっているため、噴出口１０における切削油の流速を速くすることができる。
【００２５】
以上より、ドリル３１に対して全周から切削油を速い流速で（勢いよく）当てることができ、切削油の噴出力によってドリル３１に巻き付く切り屑や付着している切り粉を、除去することができる。ドリル３１による穴開け加工を行いながら切り屑等を除去することができ、また、ドリル３１を正回転させ穴開け加工を終えた後、当該ドリル３１を逆回転させながら原点に復帰させる間についても切削油を噴出することで、切り屑等を除去している。
このため、従来のように手作業で切り屑等をドリルから除去する手間が省かれ、本発明によれば生産性を向上させることができる。さらに、穴開け加工毎にドリル３１から切り屑等が除去されることにより、各回の穴開け加工で高い仕上がり寸法精度を確保することができる。また、このように切削油をドリル３１の先端部３１ａに供給することでドリル３１の寿命を延ばすこともできる。
【００２６】
また、ノズル２からドリル３１に吹き付けた切削油は、図示しないが、オイルパンによって受けられ前記タンクに戻される。タンク側にはフィルタが設けられており、フィルタによって切削油から切り屑等が取り除かれる。フィルタで除くことができなかった微細な切り粉は切削油に含まれたままとなり、この切削油が再び前記ノズル２へ供給される。この場合であっても、前記のとおり、ノズル２内の流路７の溝６の断面は、弧状に形成されているため、流路７を通過する切削油に微細な切り粉等の異物が含まれていても、その切り粉等の異物が溝６に堆積しにくい。つまり、溝６に鋭角な角部（隅部）があるとその角部に切り粉が堆積するおそれがあるが、本発明によればこれを防止することができる。また、流路７における切削油の流速を速くすることにより、さらに、微細な切り粉等の異物を溜まり難くすることができる。このため、ノズル２は長期にわたって安定した性能を発揮することができ、ノズル２のメンテナンス期間を長くすることができ、保守管理が容易となる。
【００２７】
また、図２で説明したように、第一部材２１の円錐突出部５の径方向外側に第二部材２２を設けるだけで流路７を構成することができ、流路７の形成が容易となる。また、第二部材２２を、別の形態の溝を有しているものに交換することによって、流路７の断面形状を容易に変更することができる。
【００２８】
図６は本発明の流体供給装置の他の実施形態の説明図であり、ノズル２の要部断面図である。この実施形態は、前記実施形態（図３）と比べると第二部材２２が異なっており、その他は同じである。すなわち、図３の溝６と異なる形態の溝６６を有している第二部材２２に交換することで、この実施形態の供給装置を構成することができる。
この供給装置のノズル２は、前記実施形態と同様に、ドリル３１を挿通させる工具孔４が中央部に形成されていると共に、流路７が円周状に形成されたヘッド部３を有している。流路７は、工具孔４の周りに噴出口１０を有しており、噴出口１０に向かって径方向外側から内側へと傾斜している。そして、流路７は、噴出口１０へ向かう方向が長手方向となる溝６６を周方向に複数有しており、各溝６６の断面は弧状である。
【００２９】
図７は図６の実施形態における溝６６の説明図である。溝６６の断面形状は全長にわたって弧状に形成されているが、図７の溝６６の断面形状は、その全長にわたって同じ形状となっている。そして、隣り合う溝６６は、上流端からから噴出口１０側に向かって接近するように形成されており、噴出口１０において隣り合う溝６６は隣接している。この実施の形態においても、前記実施形態と同等の機能を有しており、切削油の噴出力によってドリル３１に巻き付いている切り屑や付着している切り粉を除去することができる。また、溝６６の断面は、弧状に形成されているため、流路７を通過する切削油に微細な切り粉等の異物が含まれていても、その切り粉等の異物が溝６に堆積しにくい。
【００３０】
図８は、本発明の流体供給装置の他の形態の説明図であり、ノズルの溝の説明図である。この実施形態は、前記実施形態（図５）と比べると、溝６が異なっており、その他は同じである。すなわち、図５の溝６と異なる形態の溝を有している第二部材に交換することで、図８の実施形態の供給装置を構成することができる。図３の実施形態では、ドリル３１の中心線Ｃ（図３参照）を含む平面上に溝６の長手方向（中心線）を配置させているが、図８では、ドリルの中心線と溝６の長手方向（中心線）とが、ねじれの配置となるようにして、各溝６が形成されている。つまり、図８に示しているように、ドリルの中心線の方向から見て、溝６の中心線は、ドリルの中心線に直交する仮想線に対して傾斜している。なお、ねじれ角θは１０°〜３０°に設定することができ、例えば２０°とすることができる。
【００３１】
以上の各実施形態の供給装置によれば、切削油を加工点（ドリルの刃先）に対して全周にわたって確実に当てることにより、ドリルの刃先を効率よく冷却することができ、かつ、切り屑等をドリルから洗い流すことができる。このため、刃先の摩耗を減少させることができ、工具寿命を延ばすことが可能となる。さらに、ドリルの刃先を冷却することで、構成刃先の溶着を防止することができ、被加工物の加工精度を安定させることができる。
【００３２】
また、本発明の流体供給装置は、図示する形態に限らず本発明の範囲内において他の形態のものであっても良い。前記実施形態では、流路７の外周面側に溝を形成した場合を説明したが、流路７の内周面側に溝を形成したものであってもよい。また、外周面側と内周面側との両方に溝を形成したものであってもよい。
【００３３】
また、溝６の断面形状は、曲線を有して滑らかに構成された弧状であればよく、図示したように円弧形状以外に、放物線による弧形状、扁平円による弧形状、又は、中間部（溝の底部）に直線部分を有している弧形状であってもよい。
また、溝６の数を変更することができ、例えばドリル３１の直径が大きくなると、溝６の数も多くなる。
さらに、切削工具はドリル以外にリーマであってもよく、また、流体供給装置から供給する流体は切削油以外であってもよい。また、前記実施形態では、切削工具を回転駆動させる切削加工機に流体供給装置を設けた場合を説明したが、これ以外に、被加工物を切削工具の中心線回りに回転させる切削加工機にも適用することができる。この場合は、切削工具に直接、流体供給装置を取り付けるようにしてもよい。
【図面の簡単な説明】
【００３４】
【図１】本発明の流体供給装置を切削加工機に取り付けた状態を説明する説明図である。
【図２】ノズルの分解断面図である。
【図３】ノズルの要部の拡大断面図である。
【図４】ノズルを先端側から見た断面図（図３のＡ矢視の断面図）である。
【図５】複数の溝の説明図である。
【図６】本発明の流体供給装置の他の形態の説明図であり、ノズルの要部断面図である。
【図７】図６の実施形態の溝の説明図である
【図８】本発明の流体供給装置の他の形態の説明図であり、ノズルの溝の説明図である。
【符号の説明】
【００３５】
１  流体供給装置
２  ノズル
３  ヘッド部
４  工具孔
５  円錐突出部
５ａ  外周面
６、６６  溝
７  流路
９  取付部
１０  噴出口
２２ａ  内周面
３１  切削工具（ドリル）
３１ａ  先端部
３２  主軸頭
Ｍ  切削加工機（工作機械）
Ｗ  被加工物
【図１】
2009220200.tif 000003
【図２】
2009220200.tif 000004
【図３】
2009220200.tif 000005
【図４】
2009220200.tif 000006
【図５】
2009220200.tif 000007
【図６】
2009220200.tif 000008
【図７】
2009220200.tif 000009
【図８】
2009220200.tif 000010